(57)【要約】【課題】組立て式で販促効果の高い表示パネル付き箱を提供する。【解決手段】天面を封緘するフードカバーを有する直方体状の箱において、対向して前後側壁を構成する側板のうち、前面側板の上縁を延長して表示パネルをミシン目又は折線を介して連設し、該表示パネルは中央の折線で二つ折りできるように構成すると共に先端部両側に一対の差込舌片を突設し、また、前記折線をはさんで表示パネル上に対称的にほぼＵ形または逆Ｕ形の切欠きを設け、表示パネルと前面側板とが交差する稜線上に差込片が係合する係合切込を設けてなることを特徴とする。【選択図】      図５
2005008238.tif 000002
【特許請求の範囲】
【請求項１】
天面を封緘するフードカバーを有する直方体状の箱において、対向して前後側壁を構成する側板のうち、前面側板の上縁を延長して表示パネルをミシン目又は折線を介して連設し、該表示パネルは中央の折線で二つ折りできるように構成すると共に先端部両側に一対の差込片を突設し、表示パネルと前面側板とが連接する稜線上に差込片が係合する一対の係合切込を設けてなることを特徴とする表示パネル付き箱。
【請求項２】
表示パネルに、中央の折線に対して対称的に略Ｕ字型及び略逆Ｕ字型の切欠きを設けたことを特徴とする請求項１記載の表示パネル付き箱。
【請求項３】
前記側板の上縁から切欠きを設けたことを特徴とする請求項１〜２のいずれか１項に記載の表示パネル付き箱。
【請求項４】
表示パネルが箱天面より小さく形成され、封緘時にフードカバー下に収納可能であることを特徴とする請求項１〜３のいずれか１項に記載の表示パネル付き箱。
【請求項５】
展示に際し、開蓋状態で天面から表示パネルを引き起こして中央の折線より折り曲げ、差込片を係合切込に差込むことで、表示パネルを箱前面に角度を付けた状態で固定可能であることを特徴とする請求項１〜４のいずれか１項に記載の表示パネル付き箱。
【発明の詳細な説明】
【０００１】
【発明の属する技術分野】
本発明は、例えば袋入り菓子や小箱入り菓子、食品の輸送及び店頭展示に兼用できる紙箱に関するものであり、特に店頭で人目を引く展示販売効果に優れた表示パネル付の箱に関するものである。
【０００２】
【従来の技術】
セルフサービスのスーパーマーケットや量販店が増え、菓子などの商品は、パッケージを手がかりとして商品を選択することが多くなっているが、販売促進を図るために、商品の内容とともに商品の宣伝を印刷表示したディスプレーパネルを別に用意し、これを陳列棚等にセットするなどして店頭で人目を引く策が採られることがある。しかしこの方法は手間やコストがかかるうえ、スペースを取るので店頭の限られたスペースにこのようなディスプレーパネルをセットしない店舗も多い。
【０００３】
そこで、菓子などの食品を包装する箱においては、販売促進を図るため、箱自体に消費者の購買意欲を誘うさまざまな工夫をしている。例えば、箱前面に表示パネルを形成するものとして、簡単なものでは特許文献１〜３に示すように、店頭陳列時に、箱の前面板または蓋面板を箱の前面に折り曲げて組み立てたり、立ち上げて表示部とすることがある。
【０００４】
【特許文献１】
特開平１０−３３８２２６号公報
【特許文献２】
特開２００２−１６６９２６号公報
【特許文献３】
特開２００２−６８１７３号公報
【０００５】
【発明が解決しようとする課題】
しかし、前面板又は蓋面板の内面に予め広告などの印刷を施しておくには、裏印刷を施しておかなければならず、両面印刷はコストがかかる問題がある。
また特許文献２のように貼着板に設ける表示部は、広告表示ができる面積に限りがある。一方、特許文献３のものは、包装箱の外面にミシン刃加工を施し表示部を形成し、商品展示時に蓋を開けミシン部を切り取って表示部を組立てるので手間がかかり、また切取後の切断端部にギザギザが残り、表示部が雑なイメージとなり、消費者に好印象を与えることが不可能であり、消費者の目線に強くアピールしないなどの問題があり、店頭での迫力のある展示効果が期待できなかった。
また箱の一部を切り取るため、箱に商品を入れたまま表示部を組み立てるのは難しく、商品展示時に、箱内から内容物が脱出しやすいという問題がある。
【０００６】
本発明の課題は、上記の問題点を解決するものである。すなわち包装箱と一体に形成した表示パネルであるが、組立前には箱天面に表示パネルを平面的に収納することができ、店頭展示時には、商品を入れたまま、消費者の目線にアピールすることのできる箱前面に一定の角度をつけて前面板と一体かつ、簡単に組み立てられ、仕上がりがきれいな表示パネル付き箱を提供することを目的とする。
【０００７】
【課題を解決するための手段】
上記課題を解決するために本発明の表示パネル付き箱は、天面を封緘するフードカバーを有する直方体状の箱において、対向して前後側壁を構成する側板のうち、前面側板の上縁を延長して表示パネルをミシン目又は折線を介して連設し、該表示パネルは中央の折線で二つ折りできるように構成すると共に先端部両側に一対の差込片を突設し、表示パネルと前面側板とが連接する稜線上に差込片が係合する一対の係合切込を設けてなることを特徴としている。
また本発明の表示パネル付き箱は、表示パネルに、中央の折線に対して対称的に略Ｕ字型及び略逆Ｕ字型の切欠きを設けたことを特徴としている。
また本発明の表示パネル付き箱は、前記側板の上縁から切欠きを設けたことを特徴としている。
また、表示パネルが箱天面より小さく形成され、封緘時にフードカバー下に収納可能であることを特徴としている。
さらに本発明の表示パネル付き箱は、展示に際し、開蓋状態で天面から表示パネルを引き起こして中央の折線より折り曲げ、差込片を係合切込に差込むことで、表示パネルを箱前面に角度を付けた状態で固定可能であることを特徴としている。
【０００８】
【発明の実施の形態】
次に、本発明の実施の形態を説明する。
図１は、本発明による表示パネル付き箱の展開図であり、段ボールまたは板紙のブランクより形成することができる。
【０００９】
本実施の形態に示す箱は、ブランクの中央部に、箱の４側壁を構成する右側板１、前面側板２、左側板３、後面側板４および糊代５を一方向に連設している。また前面側板２と後面側板４の下縁には、斜めに４５度の折線７ａが設けられた底板７を、右側板１と左側板３の下縁には略台形状の底フラップ６を、それぞれ折線を介して連設している。そして前面側板２の上縁には、切欠き２ａが形成されている。この切欠きは、店頭展示の際、内容物を箱から取り出し易くする。
一方、前面側板２を上方に延長して表示パネル１１を連設し、後面側板４を上方に延長してフードカバー９と接着フラップ１０を順に連設している。また、右側板１、左側板３の上縁には折り込み内フラップ８を、それぞれ折線を介して連設している。
【００１０】
表示パネル１１は、中央の折線１２で二つ折りして折り重ねることができるように構成すると共にパネルの先端部両側に一対の差込片１３，１３を突設する。また、前記折線１２を介して対称的に略Ｕ字型の切欠き１１ａ、１１ｂを設ける。又、前面側板２と表示パネル１１とが連接する稜線上に、切欠き部分に連接して差込片１３が係合する一対の係合切込１４、１４を刻設する。
【００１１】
図１に示すように、表示パネル１１の表面となる部分は、箱本体の表面と同一面であり、この面には前もって販売促進効果（ＰＯＰ効果）のある商品の宣伝広告内容が印刷表示されている。この印刷は、箱本体の印刷と同時に行うことができ、裏面印刷はする必要がない。
なおこの表示パネル１１は、フードカバー９より幅および長さの寸法が小さく、箱天面内に折り畳まれて収納できる大きさである。
【００１２】
図２は、本発明による表示パネル付き箱の完成図である、この箱を上記ブランクから組み立てるには、通常サック貼り機により４側板を貼着して筒状胴部を組み立てる。次に、底フラップ６と底板７とを一組ずつ貼り合わせ、底板７同士を組み合わせて底部を形成して、折り畳みブランクとする。
また、箱の使用時には箱の胴部および底部を組み立てた後、商品を箱詰めする。次に表示パネル１１を折り重ね、さらにフードカバー９を表示パネルの上に折り重ねて天面の開口部を覆い、接着フラップ１０を前面側板２に貼着して封緘する（図２参照）。なお上記接着フラップの貼着は、接着剤を使用しても、又はシールや粘着テープ等を使用するなど任意の方法で行うことが可能である。
【００１３】
店頭で商品を陳列する際には図３に示すように、まず、接着フラップ１０を前面側板２から剥がし天面を開封する。表示パネル１１は、運搬中には、商品と一緒に箱本体に収納されているため、店頭での陳列に際して表示パネルを形成するまでに汚損されることがない。
次に、図４に示すように、表示パネル１１を天面から引き出しながら印刷面が表になるように折線１２で２つ折りにして、表示パネル１１を箱前面に突出させる。さらに、差込片１３を係合切込み１４に挿入して組立て、表示パネル１１を箱前面に固定する。表示パネル１１は、係合切込み１４に挿入した差込片１４がもつ紙の弾性により若干前傾した角度を付けた状態で形態を維持するため、消費者の見やすい角度になって箱前面に展示される（図５参照）。
【００１４】
なお、折り込みフラップ８およびフードカバー９、接着フラップ１０等は店頭で陳列させる際、邪魔になることもあるので、図４、５に示すように、折り込みフラップ８およびフードカバー９を側板から切り離し、トレー状に変形可能とする。
【００１５】
図６は箱のブランクの変形例を示す平面図である。ブランクの基本的な構成は第１の実施形態と同様であり、異なる点は、差込片１５が、表示パネル１１先端の左右両端側に形成され、側板２との境界線を構成する折線上の左右両端に、差込片１５と係合する係合切込１６を刻設している。
また、図７は箱のブランクの別例を示す平面図である。異なる点は、差込片１７が、表示パネル１１の左右に分かれた先端のそれぞれの中央に形成され、側板２と連設する左右の折線上のそれぞれの中央に、差込片１７と係合する係合切込１８を刻設した例である。
以上、本発明の実施例を説明してきたが、本発明はこの実施例に限定されるものではない。
【００１６】
【発明の効果】
以上のように本発明の構成によれば、表示パネルに別部材を使用せずに、カートンと一体に形成することができ、かつ、箱天面に表示パネルを平面的に収納することができる。この表示パネルは店頭展示時に、商品を入れたまま、箱前面に一定の角度をつけて前面板と一体に組み立てることが可能である。また、表示パネル面の印刷は、カートン表面印刷と同時でよい。また、表示パネルの組立ての際、カートンの胴部を切取る作業を必要とせず、簡単に形成でき、仕上りがきれいで、消費者への訴求効果の高い表示パネルが提供できる。
【図面の簡単な説明】
【図１】本発明による箱の一実施形態を示すブランクの平面図である。
【図２】同上箱の組立て完成斜視図である。
【図３】箱天面を開封した状態の斜視図である。
【図４】表示パネルの組み立て途中を示す斜視図である。
【図５】同上表示パネルを組み立てた状態の斜視図である。
【図６】第２の実施形態の箱のブランクを示す平面図である。
【図７】第３の実施形態の箱のブランクを示す平面図である。
【符号の説明】
１  右側板
２  前面側板
３  左側板
４  後面側板
５  糊代
６  底フラップ
７  底板
８  折り込み内フラップ
９  フードカバー
１０  接着フラップ
１１  表示パネル
１２  折曲線
１３、１５、１７  差込片
１４、１６、１８  係合切込
【図１】
2005008238.tif 000003
【図２】
2005008238.tif 000004
【図３】
2005008238.tif 000005
【図４】
2005008238.tif 000006
【図５】
2005008238.tif 000007
【図６】
2005008238.tif 000008
【図７】
2005008238.tif 000009